(57)【特許請求の範囲】
【請求項１】
糊を塗布した壁紙の乾燥を防止し、上記壁紙を収納して運搬する壁紙運搬具であって、
壁紙の幅方向となる板部材一端から中央付近まで設けた複数のスリットを有する板部材を複数枚使用し、
上記スリットを設けた側を一致させた状態で板部材を平行に並べ、
上記平行に並べた板部材と直交する方向で板部材を平行に並べ、上記スリットを対向させた状態で、対向した上記スリット同士をそれぞれ嵌合させることにより格子状の壁紙収納部を形成する運搬用仕切りを構成し、
上記運搬用仕切りを袋体又は箱体の中に収納するとともに、蓋部をかぶせることによって、糊を塗布した壁紙の運搬中に糊の乾燥を防止することを特徴とする壁紙運搬具。
【請求項２】
運搬用仕切りを収納する袋体又は箱体は、別体の蓋状となる袋体又は箱体をかぶせることによって運搬用仕切りを袋体又は箱体の中に収納することを特徴とする請求項１記載の壁紙運搬具。
【請求項３】
運搬用仕切りを収納する袋体は、少なくとも１つの面が線状のファスナーによって開口可能に設けられていることを特徴とする請求項１記載の壁紙運搬具。
【請求項４】
複数のスリットを設けることによって分割されている格子形成部の幅寸法が全て同一寸法とされていることを特徴とする請求項１記載の壁紙運搬具。
【請求項５】
複数のスリットを設けることによって分割されている格子形成部の両端から中央へ向かう方向に数えて同じ番目に当たる１組の格子形成部の幅寸法が同一寸法とされていることを特徴とする請求項１記載の壁紙運搬具。
【発明の詳細な説明】
【技術分野】
【０００１】
本発明は、壁紙養生具に関するものである。さらに詳しくは、糊付した壁紙の乾燥防止や運搬の際に使用する壁紙運搬具に関するものである。
【背景技術】
【０００２】
従来から、壁紙の施工をするために壁紙糊付機を用いて壁紙に糊付けすることが知られている。そして、壁紙糊付機を施工現場に持ち込んで糊付する場合と、壁紙糊付機を施工現場に持ち込まずに事務所等の一角において壁紙に糊付けし、糊付けした壁紙が乾燥しないように養生装置や長方形で１辺がファスナーで開放される養生袋などに入れて、施工現場に壁紙を運搬して施工するということが行われている。
【０００３】
壁紙糊付機を施工現場に持ち運ぶには、車への積みおろしや、施工現場までの運搬、特にエレベーターが無い場合のマンションの３階以上の階だと運搬が大変であり、また施工後の壁紙糊付機の洗浄なども大変である。
【０００４】
そのために、壁紙糊付機を施工現場に持ち込まずに事務所等で壁紙の糊付けをして、糊付した壁紙だけを現場に持って行き施工するという方法が選択されている。
【先行技術文献】
【特許文献】
【０００５】
【特許文献１】特開２００７−１０２０号公報
【発明の開示】
【発明が解決しようとする課題】
【０００６】
糊付した壁紙を養生装置や養生袋に入れて運搬すると、どうしても１つの養生装置、養生袋に複数枚の壁紙を入れるために、壁紙の重なりが運搬中、又は施工現場に移動する車中において発生する。壁紙には、糊付けをしているため壁紙自体の重量が重くなっており、重なった部分において、下側に位置する壁紙に折りジワが発生してしまうことがあった。
【０００７】
この折りジワは、特に紙壁紙と呼ばれている種類の壁紙、汚れ防止加工や表面強化加工が施されている壁紙、ストライプ柄タイプの壁紙などで発生しやすい状況となっていた。この折りジワは、壁紙を壁面に貼り付けた施工後でもはっきりとそのシワが残ってしまうため、壁紙施工の仕上げ上の課題となっており、その改善が望まれていた。
【課題を解決するための手段】
【０００８】
上記の課題を解決するために本発明は、糊を塗布した壁紙の乾燥を防止し、上記壁紙を収納して運搬する壁紙運搬具であって、
糊を塗布した壁紙の乾燥を防止し、上記壁紙を収納して運搬する壁紙運搬具であって、
壁紙の幅方向となる板部材一端から中央付近まで設けた複数のスリットを有する板部材を複数枚使用し、
上記スリットを設けた側を一致させた状態で板部材を平行に並べ、
上記平行に並べた板部材と直交する方向で板部材を平行に並べ、上記スリットを対向させた状態で、対向した上記スリット同士をそれぞれ嵌合させることにより格子状の壁紙収納部を形成する運搬用仕切りを構成し、
上記運搬用仕切りを袋体又は箱体の中に収納するとともに、蓋部をかぶせることによって、糊を塗布した壁紙の運搬中に糊の乾燥を防止することを特徴とする。
【０００９】
また、本発明の壁紙運搬具では、運搬用仕切りを収納する袋体又は箱体は、別体の蓋状となる袋体又は箱体をかぶせることによって運搬用仕切りを袋体又は箱体の中に収納することを特徴とする。
【００１０】
また、運搬用仕切りを収納する袋体は、少なくとも１つの面が線状のファスナーによって開口可能に設けられていることを特徴とする。
【００１１】
また、複数のスリットを設けることによって分割されている格子形成部の幅寸法が全て同一寸法とされていることを特徴とする。
【００１２】
さらにまた、複数のスリットを設けることによって分割されている格子形成部の両端から中央へ向かう方向に数えて同じ番目に当たる１組の格子形成部の幅寸法が同一寸法とされていることを特徴とする。このように同じ番目に当たる１組の格子形成部の幅寸法が同一寸法とされていることにより、板部材の向きを考慮しなくても運搬用仕切りを組立でき、かつ壁紙を収納する収納部の大きさは種々の実施形態を取ることが可能となる。
【発明の効果】
【００１３】
本発明により、複数枚の板部材を組立して壁紙を収納する収納部を有する運搬用仕切りを構成するために、壁紙同士の重なりによるシワの発生を防止することができる。また、運搬中に、壁紙は運搬用仕切りや袋体又は箱体によって支えられる状態となり、単に養生袋に入れるだけと違って運び易く、また壁紙の損傷自体も抑えることができる。
【００１４】
運搬用仕切りは折り畳むことができるため、使用しない場合には折り畳むことによってスペースを取らず、使い勝手のよい壁紙運搬具の提供が可能である。
【図面の簡単な説明】
【００１５】
【図１】本発明の実施形態の１例の板部材を説明する図である。
【図２】板部材を組み合わせた状態を説明する斜視図である。
【図３】壁紙運搬具の１例を説明する斜視図である。
【図４】別の壁紙運搬具の１例を説明する斜視図である。
【図５】運搬用仕切りを畳んだ状態を説明する図である。
【発明を実施するための最良の形態】
【００１６】
本発明の実施の形態を説明する。図１は、運搬用仕切り１を構成するための板部材２である。糊付した壁紙の水分が浸透せず軽量な素材が適しており、例えば樹脂製ダンボールや防水加工をしたダンボールなどで製作することが好ましい。防水性を有し、軽量であれば上記以外の素材を使用してももちろんかまわない。
【００１７】
この板部材２には、壁紙の幅方向側の一方の端部から中央に向かって複数のスリット３が設けられている。図１に図示した実施形態は１例であるが、スリット３は３箇所設けた構成としている。
【００１８】
上記の板部材２を平行にスリット３が設けられた側を上にした状態で３枚並べ、上記３枚に直交する方向に、板部材２をスリット３が設けられた側を下にした状態でスリット３同士を嵌合するようにして組み合わせて複数の格子状の収納部４を有する運搬用仕切り１とする。
【００１９】
図２に複数の格子状の収納部４を有する運搬用仕切り１の斜視図を示す。スリット３を板部材２のちょうど中央又は中央よりも少し深く設けると、図２に示したように、格子状に組み合わせた複数の板部材２の底部と頂部は一致できる構成となる。スリット３を板部材２の中央に届かない状態の深さとすると、スリット３が設けられた側を下にした状態で組み合わせる板部材２は、スリット３が設けられた側を上にした状態で組み合わせる板部材２よりも底部と頂部において板部材２の端部が上方に位置することになり、段差ができることとなるが、その段差は数センチ程度であれば使用上は特に問題とならないため、スリット３の深さは板部材２の中央付近まで到達する深さであればよい。もちろん安定性を考慮すると、組み合わせた状態で、スリット３が設けられた側を上にした板部材２の端部とスリット３が設けられた側を下にした板部材２のそれぞれの底部と頂部が一致するようにした構成の安定性が一番良いのはいうまでもない。
【００２０】
図３は、図２のように組合せた運搬用仕切り１を上方が四角形状に開口した袋体５の中に入れ、上から別の蓋状の袋体６をかぶせて糊付き壁紙の乾燥を防ぐようにした実施形態である。
【００２１】
そして、図４は袋体の別の実施形態であり、袋体７の上部の１辺に袋体７の蓋の部分となる蓋部７ａを設けて、蓋部７ａと袋体７の３辺７ｂとを線状のファスナー（図示省略）で開閉できるようにしたものである。線状のファスナー以外でも糊付き壁紙の端部の乾燥を抑えることができるようなものであれば採用は可能である。
【００２２】
壁紙運搬具は、上記のように運搬用仕切り１を袋体５、又は袋体７の中に入れて構成するのである。図３及び図４においては、運搬用仕切り１の高さと袋体６又は袋体７の高さをほぼ同一となった状態にて図示しているが、袋体５と袋体７の高さを高くしてもよい。袋体５と袋体７の高さを高くし、糊付けした壁紙の端部が運搬用仕切り１から少し飛びだすような運搬用仕切り１の高さとしておくと、運搬用仕切り１の収納部４に収納した壁紙を取り出しやすくなる。壁紙の端部が運搬用仕切り１から少し飛びだした状態の実施形態においては、壁紙施工現場へ運搬する際、車中で壁紙の端部を傷めないように注意が必要である。車中においては、現場には壁紙糊付機を運搬する必要がないため、壁紙運搬具を複数使用して必要な分の壁紙を運搬するとよい。横置きに積み重ねて車に積み込んでもいいし、図３や図４のように立てた状態で積み込んでもよい。横置きに積み重ねる場合においては、袋体５や袋体７の開口部側においてスリット３が設けられた板部材２が鉛直方向で、スリット３が設けられていない板部材２が水平方向になるように置くとよい。
【００２３】
図１及び図２に示した運搬用仕切り１は、図１で説明したスリット３の幅は板部材２の板厚と同等か、板部材２の板厚より少し大きくしている。もちろん上記に説明した樹脂製ダンボールや防水加工をしたダンボールであれば、素材が柔らかいためにスリット３の幅が少々きつめであっても特に問題になることはない。
【００２４】
少しスリット３の幅を板厚よりも大きくしておくと、図５に示すように、運搬用仕切り１を組み立てた状態で、折り畳むことがスムーズに行える。運搬用仕切り1を組み立てた状態で折り畳めるために、使用しない際にスペースを取らずに保管しやすい。もちろん袋体も折り畳んでスペースを取らずに保管できる。
【００２５】
図１において板部材２にはスリット３を３箇所設けた実施形態を説明したが、スリット３の数を限定するわけではない。２つ以上のスリットを適宜設ければよいのである。
【００２６】
そして、スリットの数が奇数であれば、格子形成部２ａは偶数となり収納部の１列の数は偶数となる。スリットの数が偶数であれば、格子形成部２ａは奇数となり収納部の１列の数は奇数となる。
【００２７】
格子形成部２ａの幅は全て同じとしてもよいし、全て違う寸法として、運搬用仕切り１の格子は大きさを変えてもよい。スリット３を奇数設けて格子形成部２ａが偶数となる場合は、両端に位置する格子形成部２ａの組、そして両端に位置する１組の１つ内側となる格子形成部２ａの１組というように１組単位で格子形成部の幅寸法を同じにしておくと板部材２の向きは特に関係なく運搬用仕切り１に組み立てることができる。
【００２８】
スリット３を偶数設けて格子形成部２ａが奇数となる場合は、真ん中に位置する格子形成部は１つで任意の幅寸法とし、両端の格子形成部の１組、そしてその１つ内側に位置する格子形成部の１組、さらに１つ内側に位置する１組というように順次内側に位置する１組単位で格子形成部の幅寸法を同じにしておくと板部材の向きを考慮しなくても組立ができる構成として実施可能にできるのである。
【００２９】
もちろん、スリットの数が偶数でも奇数でも、いくつかの格子形成部２ａの組の全てを同じ幅寸法としても良いし、複数の格子形成部の組の１つおきに幅寸法を任意の寸法、別の任意の寸法と交互に設定したり、両端だけ小さい幅寸法としたりと幅寸法の設定は自由かつ任意にしてかまわない。
【００３０】
格子形成部の幅寸法を全て異なる寸法にした場合には、向きを考慮して組立しないと、運搬用仕切り１を上から見た状態で、板部材の端部が四角形にならずに凹凸した状態となってしまって、袋体５や袋体７に入らない状態となってしまう。
【００３１】
使用者の使い勝手をことを考慮すると、板部材の向きを特に意識しなくても組立できるような格子形成部の寸法としておくことが望ましいが、格子形成部の幅寸法を異なる寸法にすることも採用可能である。
【００３２】
もちろん、板部材を複数枚使用しているので、板部材１枚を外すことによって、寸法の大きな収納部を形成するような使用方法を採用してもよいのである。ホールや天井などの場所においては、長い糊付け長さとなる場合（例えば１０ｍを越えるような糊付け長さ）があり、そのような長い糊付した壁紙を収納するに、本発明は大きな収納部を適宜形成することが可能である。
【００３３】
また、上記では袋体５、袋体７を使用する実施形態で説明したが、袋体ではなく、折りたたみが可能な箱体としてもよいのである。箱体とする場合においては図４に示した実施形態では、線状のファスナーで開閉するのではなく、蓋部７ａには、運搬用仕切り１と３辺７ｂの間に差し込まれる差し込み片を設けておくと糊の乾燥が確実に防止できる構成となる。
【００３４】
袋体とした場合でも、箱体とした場合でも、運搬用仕切り１に組み立てた状態で、運搬用仕切り１と袋体あるいは箱体との間に数センチ程度の間隔が空くように、袋体と箱体を少し大きめの寸法としておくと良い。
【符号の説明】
【００３５】
１  運搬用仕切り
２  板部材
２ａ  格子形成部
３  スリット
４  収納部
５  袋体
６  蓋状の袋体
７  袋体
７ａ  蓋部
【図１】
0005618333.tif 000002
【図２】
0005618333.tif 000003
【図３】
0005618333.tif 000004
【図４】
0005618333.tif 000005
【図５】
0005618333.tif 000006